(57)【要約】【課題】電線結線時の作業性の向上が図れ、且つ小型に製作可能なランプソケットを提供することにある。【解決手段】ソケット本体３は端子収納部２内に収納される端子金具２７に対応する給電用と送り配線用の一対の電線挿入孔８、８を蛍光ランプのコンタクトの挿入方向と同じ方向となるようにソケット本体３の端子収納部２下面に開口している。【選択図】図１
2004146278.tif 000002
【特許請求の範囲】
【請求項１】
蛍光ランプの口金に設けられているコンタクトが挿入されるコンタクト挿入穴を前面に開口するとともに、挿入される上記コンタクトの一対の電極に対応接触する一対の導電性の接触子を備え、前面外形形状を略十字形状としたプランジャーと、該プランジャーと該プランジャーを後方から前方へ付勢するばね体とを収納して上記プランジャーを前面開口部より出没自在とし、且つ上記プランジャーの上記各接触子に電気的に接続された一対の速結端子を収納したソケット本体と、該ソケット本体の後面開口を被蔽するソケットカバーとからなり、上記各速結端子に対応する第１の電線挿入孔を電線挿入方向が上記コンタクトの挿入方向に対して垂直方向となるように上記ソケット本体に開口しているランプソケットにおいて、
上記第１の電線挿入孔と並ぶ方向が上記コンタクトの挿入方向と同じ方向となるように送り配線用の第２の電線挿入孔を上記各速結端子に対応して上記ソケット本体に開口していることを特徴とするランプソケット。
【請求項２】
上記第１、第２の電線挿入孔の開口位置を、上記プランジャーの両側方向の最大外形幅寸法内に収めていることを特徴とする請求項１記載のランプソケット。
【請求項３】
上記第１、第２の電線挿入孔の開口位置を、上記プランジャーが後方へ最大移動して上記ソケット本体内に収納された位置で上記プランジャーの後端と、蛍光ランプの口金を受ける受金面との間内としていることを特徴とする請求項１又は２記載のランプソケット。
【請求項４】
上記第１、第２の電線挿入孔に対応する上記ソケット本体内の電線挿入スペースの奥端を、上記プランジャーの外面に形成された４つの入隅部の内の第１、第２の電線挿入孔側に位置する入隅部内に入り込ませていることを特徴とする請求項１乃至３の何れか記載のランプソケット。
【請求項５】
上記請求項１乃至４の何れかのランプソケットを可動側のランプソケットとして用いていることを特徴とする照明器具。
【発明の詳細な説明】
【０００１】
【発明の属する技術分野】
本発明は、高出力の直管形の蛍光ランプ用のランプソケット及びその照明器具に関するものである。
【０００２】
【従来の技術】
従来高出力で直管形でＪＩＳ規格のＲ１７ｄ口金を有する蛍光ランプが装着されるランプソケットには、内部に設けられた各２つの速結端子に夫々対応した対の電線挿入孔を電線挿入方向がランプ挿入軸方向となるようにソケット本体の下部の前面部に両側幅方向に並行開口させたものがある。（特許文献１　参照）
同様に高出力で直管形でＪＩＳ規格のＲ１７ｄ口金を有する蛍光ランプが装着されるランプソケットには図８（ａ）〜（ｃ）に示すものも提供されている。この図８（ａ）〜（ｃ）に示されるランプソケットは、円筒形の筒部１及び筒部１の後部下部に一体に設けられた端子収納部２とから構成された合成樹脂製のソケット本体３と、このソケット本体３の筒部１及び端子収納部２の後面開口を被蔽する合成樹脂製のソケットカバー４と、ソケット本体３の筒部１の前面開口部より出没自在に装着された合成樹脂製の外形形状が円柱状のプランジャー５と、筒部１内に収納されプランジャー５を前方へばね付勢するばね体（図示せず）と、プランジャー５の前面開口のコンタクト挿入穴６に蛍光ランプ（図示せず）のコンタクトが挿入されたときにコンタクトに設けられた一対の電極に接触する導電性の一対の接触子（図示せず）と、端子収納部２内に設けられ、点灯装置（図示せず）からの点灯出力を上記接触子へ供給するための給電用の電線７や送り配線用の電線７の心線が接続される一対の速結端子（図示せず）と等から構成される。
【０００３】
ここで端子収納部２の下面には点灯装置側からの電線７及び送り配線用の電線７を挿入するための一対の電線挿入孔８、８を各速結端子に対応し、且つ蛍光ランプの挿入方向Ｘに対して直交する方向に電線挿入方向Ｙが向くように両側幅方向一列に並ぶように開口してある。
【０００４】
ここで図８（ａ）は照明器具本体９にソケット本体３を取付けた状態を示しており、図中１０は照明器具本体９の取付孔１１に係止してソケット本体３を固定するためのＬ状の取付脚である。
【０００５】
【特許文献１】
特開平８−２３６２３１号公報　　（図１８、図１９）
【０００６】
【発明が解決しようとする課題】
ところで上記の何れの従来例も、電線挿入孔がソケット本体の両側方向に並ぶように設けられているため、端子収納部の外形の両側幅方向の寸法が大きくなるという問題があった。図８（ａ）では寸法Ｗがそれに対応する。また結線作業性が良くするために、電線挿入孔８の間の距離を大きくして作業スペースを確保しようとした場合、更にソケット本体３の端子収納部２の両側幅方向の寸法が大きくなり、結果的にはソケット本体２の両側方向の幅寸法が大きくなるという問題があった。
【０００７】
また図８（ａ）〜（ｃ）に示す従来例では、上記プランジャー５の断面形状が円形状であるため、端子収納部２の天井壁となる筒部１の下側壁部の一部を凹みを設けて電線挿入スペースを確保することができないため、端子収納部２の高さ寸法ｈを大きくして電線挿入スペースを確保していた。そのためソケット本体２の全高寸法Ｈも大きくなるという問題もあった。
【０００８】
本発明は、上記の問題点に鑑みて為されたもので、その目的とするところは電線結線時の作業性の向上が図れ、且つ小型に製作可能なランプソケットを提供することにある。
【０００９】
【課題を解決するための手段】
上記目的を達成するために、請求項１のランプソケットの発明では、蛍光ランプの口金に設けられているコンタクトが挿入されるコンタクト挿入穴を前面に開口するとともに、挿入される上記コンタクトの一対の電極に対応接触する一対の接触子を備え、前面外形形状を略十字形状としたプランジャーと、該プランジャーと該プランジャーを後方から前方へ付勢するばね体とを収納して上記プランジャーを前面開口部より出没自在とし、且つ上記プランジャーの上記各接触子に電気的に接続された一対の速結端子を収納したソケット本体と、該ソケット本体の後面開口を被蔽するソケットカバーとからなり、上記各速結端子に対応する第１の電線挿入孔を電線挿入方向が上記コンタクトの挿入方向に対して垂直方向となるように上記ソケット本体に開口しているランプソケットにおいて、
上記第１の電線挿入孔と並ぶ方向が上記コンタクトの挿入方向と同じ方向となるように送り配線用の第２の電線挿入孔を上記各速結端子に対応して上記ソケット本体に開口していることを特徴とする。
【００１０】
請求項２のランプソケットの発明では、請求項１の発明において、上記第１、第２の電線挿入孔の開口位置を、上記プランジャーの両側方向の最大外形幅寸法内に収めていることを特徴とする。
【００１１】
請求項３のランプソケットの発明では、請求項１又は２の発明において、上記第１、第２の電線挿入孔の開口位置を、上記プランジャーが後方へ最大移動して上記ソケット本体内に収納された位置で上記プランジャーの後端と、蛍光ランプの口金を受ける受金面との間内としていることを特徴とする。
【００１２】
請求項４のランプソケットの発明では、請求項１乃至３の何れかの発明において、上記第１、第２の電線挿入孔に対応する上記ソケット本体内の電線挿入スペースの奥端を、上記プランジャーの外面に形成された４つの入隅部の内の第１、第２の電線挿入孔側に位置する入隅部内に入り込ませていることを特徴とする。
【００１３】
請求項５の照明器具の発明では、上記請求項１乃至４の何れかのランプソケットを可動側のランプソケットとして用いていることを特徴とする。
【００１４】
【発明の実施の形態】
以下本発明を実施形態により説明する。
【００１５】
図１は本実施形態のランプソケットＳの分解斜視図を示している。本実施形態の主要構成部品である合成樹脂成形品からなるソケット本体３は、プランジャー５を前面開口部１２より出没させる筒部１と、図において筒部１の後部下面より下方向に一体形成した後面開口の端子収納部２とからなり、筒部１及び端子収納部２の後面開口にはソケットカバー４を被着している。
【００１６】
プランジャー５は正面（前面）からみた外形状が略十字状で、内部は図２（ｃ）に示すように中間部に設けられた仕切壁２０で前後を仕切り、仕切壁２０の前方側にコンタクト挿入穴６を形成している。このコンタクト挿入穴６の中央部にはＪＩＳ規格で定められたＲ１ｄ形の口金４３のコンタクト４２（図７参照）の凹部に嵌合するガイド体２１が仕切壁２０より前方へ一体突設した形で配せられている。このガイド体２１基部の両側の仕切壁２０には図２（ａ）に示すように貫通孔２２、２２を設け、これら貫通孔２２，２２に仕切壁２０の後方側から導電体からなる接触子２３、２３を貫挿している。接触子２３は仕切壁２０の前方へ突出する部位の一側縁の前端にコンタクト４２に設けられた電極に接触する突出部２５を設け、後端両側には仕切壁２０の後面に当たって抜け止めを図る突起２６、２６を一体に突設したもので、コンタクト挿入穴６側に突出した上記部位の一側縁をガイド体２１の両側面に形成した溝２４、２４に係入するようになっている。
【００１７】
一方ソケット本体３の筒部１は前面にプランジャー２の正面外形状に対応する略十字形状の上記前面開口部１２を形成するとともに、筒部１内の孔の正面断面形状を略十字状のプランジャー５を前後移動自在にガイドできるようにプランジャー５の外形に適合する略十字形状としている。
【００１８】
ソケット本体３の端子収納部２は、図４（ｂ）に示すように内部空所が天井面中央より垂下された垂下壁１３で左右に分けられ、左右の空所が速結端子を構成する端子金具２７が夫々収納される収納室２８、２８を構成する。
【００１９】
そして各収納室２８の外側壁に近い底部には内部に配設される端子金具２７に対応して点灯装置側からの給電用の電線７及び送り配線用の電線７を夫々挿入する第１、第２の電線挿入孔８、８を設けてある。そして電線挿入孔８に対する電線７の挿入方向Ｙは図３に示す蛍光ランプＬの挿入軸方向Ｘ、つまり筒部１の中心軸方向に対して垂直な方向とし、且つ各対の電線挿入孔８、８の並び方向は図４（ａ）に示すように挿入軸方向Ｘに並行する方向としている。また図４（ｂ）に示すように両側方向の電線挿入孔８、８間の寸法ｗをプランジャー５の両側方向の外形最大幅寸法Ｗ内に収まるように設定してある。そして図４（ａ）に示すように端子収納部２の両側方向の外形最大幅寸法ｗ’を上記寸法Ｗ内に設定することで、両側の電線挿入孔８、８間と、各対の第１、第２の電線挿入孔８、８の外側には各対の電線挿入孔８，８に共通の作業スペース３９を確保し、電線結線時に電線７を持ち替えることなく電線結線が容易に行えるようにしている。
【００２０】
さて速結端子を構成する端子金具２７は一枚の板金を打ち抜き・曲げ加工することにより形成したもので、両側片２７ａ、２７ｂとこの両側片２７ａ、２７ｂの下端間を連結する底片とからなり、底片の一部を一方の側片２７ｂ下端に一端が連結されるように上向きに切り起こして鎖錠片２７ｃを形成し、この鎖錠片２７ｃの自由端と対向する側片２７ａとの間の隙間に電線７の心線７ａを押入して鎖錠片２７ｃで鎖錠することで電線接続を行う速結端子を構成する。そして、前記隙間が上記対の電線挿入孔８、８に対向するように端子金具２７は収納室２８内に収納される。
【００２１】
また端子金具２７は側片２７ａの上部後端から後方へ延長し、更に上方へ延長した延設片２７ｄを一体に設けており、この延設片２７ｄの上端部には円板状の接触片３０を一体に設けてある。この接触片３０は筒部１内に収納されるプランジャー５を前方へ付勢するばね体と通電用導電体とを兼ねた導電性のコイルスプリング２９の一端を弾接させる電気的な接触部を構成する。
【００２２】
ソケットカバー４は筒部１の後面開口を覆う円形部４ａとこれに一体連接され端子収納部２の後面開口を覆う方形部４ｂとからなり、円形部４ａの前面部の両側には円環状の壁３１に囲繞された凹部３２を並設し、方形部２４ｂには凹部３２の下部に形成した切欠３２ａを介して連通した凹所３３を設けてある。各凹部３２は上記の端子金具２７に一体に設けてある接触片３０を嵌め込み収納する収納部を構成し、切欠３２ａは上記延設片２７ｄを凹所３３側に引き出すための挿通部を構成する。
【００２３】
而して本実施形態のソケットランプＳを組み立てるに当たっては、ソケット本体３の後面開口よりプランジャー５を挿入するとともに、一対の接触子２３、２３をプランジャー５の仕切壁２０の貫通孔２２、２２に後方から貫挿してコンタクト挿入穴６側に前部を臨ませる。
【００２４】
一方ソケットカバー４の凹部３２、３２に各端子金具２７に一体に設けられている接触片３０を嵌める。このとき接触片３０は中心孔３０ａに凹部３２側の突起３２ｂが挿入され接触片３０の位置決めが為される。そして各凹部３２内にコイルスプリング２９の一端部を嵌め込むとともに、上記接触子２３の後端より突出させている突体２３ａをコイルスプリング２９の他端に挿入してコイルスプリング２９の他端を対応する接触子２３の後面に押し当て、この状態でプランジャー５を前方へ押し動かしながらソケットカバー４をソケット本体３の後面開口を覆うように嵌着固定する。この嵌着固定の際、プランジャー５は後部外面に形成しているストッパ面４５が筒部１の前面開口部１２の内縁に当たる位置まで前進移動する。そしてコイルスプリング２９は対応する接触子２３の後端面と、対応する接触片３０との間で圧縮された状態で保持され、プランジャー５を前方へ付勢するとともに、接触子２３と接触片３０との間を電気的に接続する。尚ソケットカバー４は被着時に周縁鍔４ｃがソケット本体３の後面開口縁に当接する。
【００２５】
またソケットカバー４の前方に位置する各端子金具２７、２７はソケットカバー４の方形部４ｂの突出壁３４の前端面に後端面が乗る形でソケット本体３の端子収納部２内に収納され、各端子金具２７の側片２７ｂの外側面が垂下壁１３の壁面に当接し、また側片２７ａの外側面が収納室２８の側壁面に設けてある突部１４に当接する形で配置される。
【００２６】
尚一対の電線挿入孔８、８の位置はプランジャー５を図２（ｂ）の状態から図２（ｃ）に示すようにその後面（背面）がソケットカバー４に当たる位置まで筒部１内に押し込んだときの筒部１の前面（プランジャー５を押し込んだときに蛍光ランプＬの口金４３を受ける受金面）とプランジャー５の後面までの間ａ内とすることで、ソケット本体３の前後方向の寸法ｂを小さくしている。
【００２７】
また各収納室２８の側壁に沿うように設けられる電線挿入スペース３７の上端位置を、図２（ａ）に示すプランジャー５の上下両側の入隅部３５…の内、下側の入隅部３５、３５に入り込む筒部１の壁部に収納室２８内側から形成した凹み３６の奥端としている。従って図５に示すように電線挿入孔８を介して収納室２８内の端子金具２７に挿入接続する電線７の心線７ａの先端が凹み３６内に収めることができ、そのためこの凹み３６の奥行き寸法分だけ端子収納部２２の高さ寸法αを従来の端子収納部２２の高さ寸法βに比して短くすることができ、結果ソケット本体３の全高寸法を従来に比して小さくなっている。
【００２８】
以上のように組み立てられた本実施形態のソケットランプＳは、図６にプランジャー５を設けていない固定形のランプソケットＳ’と併せて使用されるものである。この固定形のランプソケットＳ’はソケット本体３の筒部２の前面開口部がコンタクト挿入穴６’の開口となり、内部にガイド体２１が設けられているもので、その他の構成はランプソケットＳと同様となっている。
【００２９】
図７（ａ）〜（ｃ）は上記ランプソケットＳ、Ｓ’を使用した照明器具本体９を示しており、この照明器具本体９は、金属板を加工して前面（図７（ｃ）における下面）が開口する矩形箱状に形成され、長手方向に対向する両側にそれぞれランプソケットＳと固定形のランプソケットＳ’が取付けられ、内部には蛍光ランプＬを点灯するための安定器等の点灯装置４０や外部の電源線を点灯装置４０に接続するための端子台、並びに反射板４１等が収納され、背面（図７における上面）には天井面等への取付構造が設けられている。尚ランプソケットＳ、Ｓ’の照明器具本体９への取付けはソケット本体３の端子収納部３の両側後面に一体形成した取付脚１０を用いて行う。この取付けの際にソケットカバー４の円形部４ａの後面に突設している突起３８を照明器具本体９側の位置決め孔（図示せず）に嵌めて取付位置を決める。
【００３０】
また照明器具本体９に取付けられたランプソケットＳ、Ｓ’に電線７を接続する場合には、まずソケット本体３の後面側、つまり取付面に近い一方の電線挿入孔８に挿入した後に、他方の電線挿入孔８に挿入する。この際電線７、７を指でつかんで作業を行うための作業スペース３９が両電線挿入孔８、８で共用でき、そのため電線７を持ち替えることなく第１，第２の電線挿入孔８、８に順次挿入することができる。結線した電線７を引き外す場合には各電線挿入孔８の近傍に設けた冶具挿入孔４６に冶具を挿入して鎖錠片３７ｃを撓ませることで心線７ａの鎖錠状態を解除し、この解除状態で電線７を引き抜くことで行う。
【００３１】
次に照明器具本体９に蛍光ランプＬを装着するに当たっては、図２（ａ）に示すようにランプソケットＳのプランジャー８のコンタクト挿入穴６に蛍光ランプＬの一端側のコンタクト４２（図７参照）を挿入してガイド体２１に結合するとともに蛍光ランプＬの口金４３をプランジャー８の前面、つまり受金面に当接してコイルスプリング２９の付勢に抗しながらソケット本体３の筒部２内にプランジャー８を、蛍光ランプＬの他端側のコンタクトを固定側のランプソケットＳ’のコンタクト挿入穴６’に挿入可能な位置まで後退させ、この状態で蛍光ランプＬの他端側のコンタクト４２を固定側のランプソケットＳのコンタクト挿入穴６’に挿入する方向に蛍光ランプＬを動かすことで、プランジャー８がコイルスプリング２９の付勢力で前進し、その結果図７（ｂ）に示すように蛍光ランプＬはランプソケットＳのプランジャー８とランプソケットＳ’との間に装着保持されることになる。
【００３２】
【発明の効果】
請求項１のランプソケットの発明は、蛍光ランプの口金に設けられているコンタクトが挿入されるコンタクト挿入穴を前面に開口するとともに、挿入される上記コンタクトの一対の電極に対応接触する一対の接触子を備え、前面外形形状を略十字形状としたプランジャーと、該プランジャーと該プランジャーを後方から前方へ付勢するばね体とを収納して上記プランジャーを前面開口部より出没自在とし、且つ上記プランジャーの上記各接触子に電気的に接続された一対の速結端子を収納したソケット本体と、該ソケット本体の後面開口を被蔽するソケットカバーとからなり、上記各速結端子に対応する第１の電線挿入孔を電線挿入方向が上記コンタクトの挿入方向に対して垂直方向となるように上記ソケット本体に開口しているランプソケットにおいて、上記第１の電線挿入孔と並ぶ方向が上記コンタクトの挿入方向と同じ方向となるように送り配線用の第２の電線挿入孔を上記各速結端子に対応して上記ソケット本体に開口しているので、電線を指でつかんで第１、第２の電線挿入孔に挿入する際の挿入作業スペースを第１、第２の電線挿入孔で共用することができ、そのため一方の電線挿入孔に電線を挿入し他後他方の電線挿入孔に電線を挿入する際に持ち替える必要もないので、結線作業性の向上が図れ、しかもソケット本体の両側幅方向の外形寸法を小さくすることができ、ソケット本体の小型化が図れ、結果使用材料の削減と材料費の低減も可能となる。
【００３３】
請求項２のランプソケットの発明では、請求項１の発明において、上記第１、第２の電線挿入孔の開口位置を、上記プランジャーの両側方向の最大外形幅寸法内に収めているので、請求項１の発明の効果に加え、より一層ソケット本体の両側幅方向の寸法を小さくすることができる。
【００３４】
請求項３のランプソケットの発明は、請求項１又は２の発明において、上記第１、第２の電線挿入孔の開口位置を、上記プランジャーが後方へ最大移動して上記ソケット本体内に収納された位置で上記プランジャーの後端と、蛍光ランプの口金を受ける受金面との間内としているので、請求項１又は２の発明の効果に加えてソケット本体の前後方向の高さ寸法を小さくすることができ、ソケット本体の一層の小型化が図れる。
【００３５】
請求項４のランプソケットの発明は、請求項１乃至３の何れかの発明において、上記第１、第２の電線挿入孔に対応する上記ソケット本体内の電線挿入スペースの奥端を、上記プランジャーの外面に形成された４つの入隅部の内の第１、第２の電線挿入孔側に位置する入隅部内に入り込ませているので、請求項１乃至３の何れかの効果に加え、プランジャーの入隅部のスペースを有効に利用することができ、更に一層のソケット本体の小型化が図れる。
【００３６】
請求項５の照明器具の発明では、上記請求項１乃至４の何れかのランプソケットを可動側のランプソケットとして用いているので、小型なランプソケットにより見栄えが良い照明器具を提供できる。
【図面の簡単な説明】
【図１】本発明の一実施形態の分解斜視図である。
【図２】（ａ）は同上の正面図である。
（ｂ）は同上（ａ）のＡ−Ａ断面図である。
（ｃ）は同上（ｂ）においてプランジャーを筒部内に押し込んだ状態の断面図である。
【図３】同上の側面図である。
【図４】（ａ）は同上の下面図である
（ｂ）は図３のＢ−Ｂ断面図である。
【図５】同上の電線挿入スペースの説明用断面図である。
【図６】同上の併せて使用される固定側のランプソケットの分解斜視図である。
【図７】（ａ）は同上を用いる照明器具の一部省略せる下面図である。
（ｂ）は同上（ａ）のＣ−Ｃ拡大断面図である。
（ｃ）は同上（ｂ）のＤ−Ｄ断面図である。
【図８】（ａ）は従来例を照明器具本体に取り付けた状態の一部破断せる下面図である。（ｂ）は同上の正面図である。
（ｃ）は同上の側面図である。
【符号の説明】
Ｓ　ランプソケット
１　筒部
２　端子収納部
３　ソケット本体
４　ソケットカバー
５　プランジャー
８　電線挿入孔
２３　接触子
２７　端子金具
２９　コイルスプリング
３０　接触片
【図１】
2004146278.tif 000003
【図２】
2004146278.tif 000004
【図３】
2004146278.tif 000005
【図４】
2004146278.tif 000006
【図５】
2004146278.tif 000007
【図６】
2004146278.tif 000008
【図７】
2004146278.tif 000009
【図８】
2004146278.tif 000010